(57)【要約】      （修正有）【課題】構造の簡素化を図りながら斬新な形態での被陳列物の陳列が可能な陳列装置を提供する。【解決手段】底枠部１２、上枠部１３ならびに側枠部１４を有する枠体部１１と、被陳列物Ｇを保持する保持部と底枠部後部から枠体部内の斜め上方に突設されて保持部を所定高さに支持する支持部とを有する持上部材２０を含み、持上部材は、保持部に被陳列物が展示された際に、枠体部正面の前方上部側位置からの鑑賞者の視線によって持上部材の支持部の非視認状態が作出されるように構成され、それによって被陳列物の枠体部内における浮揚陳列状態が演出される。【選択図】図１
0003230779.tif 000002
【実用新案登録請求の範囲】
【請求項１】
底枠部、上枠部ならびに側枠部を有する枠体部と、
被陳列物を保持する保持部と前記底枠部後部から前記枠体部内の斜め上方に突設されて前記保持部を所定高さに支持する支持部とを有する持上部材を含み、
前記持上部材は、前記保持部に被陳列物が展示された際に、前記枠体部正面の前方上部側位置からの鑑賞者の視線によって前記持上部材の前記支持部の非視認状態が作出されるように構成されていて、それによって前記被陳列物の前記枠体部内における浮揚陳列状態が演出されるようにした
ことを特徴とする陳列装置。
【請求項２】
前記枠体部が立方体形状、直方体形状、多角柱形状、円柱形状、角錐台形状、円錐台形状のいずれかよりなる請求項１に記載の陳列装置。
【請求項３】
前記枠体部の各面部が開放部として構成されている請求項１又は２に記載の陳列装置。
【請求項４】
前記枠体部の高さに対して前記持上部材の前記保持部の高さが０．１〜０．５倍である請求項１ないし３のいずれか１項に記載の陳列装置。
【請求項５】
前記枠体部の奥行に対して前記持上部材の前記保持部の奥行が０．４〜０．５倍である請求項１ないし４のいずれか１項に記載の陳列装置。
【請求項６】
前記持上部材の前記保持部が台座部である請求項１ないし５のいずれか１項に記載の陳列装置。
【考案の詳細な説明】
【技術分野】
【０００１】
この考案は、被陳列物を鑑賞可能に陳列する陳列装置に関する。
【背景技術】
【０００２】
例えば、生花や観葉植物、陶磁器、人形等の置物類は、建築物の室内、廊下、玄関先等に陳列される鑑賞用の装飾物として用いられる。この種の置物類である被陳列物は、所定のスペースにそのまま陳列される他、ショーケース等の内部が視認可能な箱体に収容されて陳列されることがある。特に、被陳列物は、ショーケース等の箱体に視認可能に収容されることによって、意匠性を強調して陳列することができる。
【０００３】
近年では、単なる視認可能な箱体に被陳列物を収容するにとどまらず、箱体自体に装飾を施したり、ＬＥＤ照明等の照明体を備えた箱体により収容した被陳列物を照らし出したりする等、種々の手法で被陳列物の意匠性を強調する陳列装置が提案されている（例えば、特許文献１参照）。しかしながら、照明体等の特別な構成を付加した陳列装置は、構造が複雑となってコスト面でも不利となる。
【先行技術文献】
【特許文献】
【０００４】
【特許文献１】特開２０１０−２２７９５号公報
【考案の概要】
【考案が解決しようとする課題】
【０００５】
本考案は、前記の点に鑑みなされたものであって、構造の簡素化を図りながら斬新な形態での被陳列物の陳列が可能な陳列装置を提供するものである。
【課題を解決するための手段】
【０００６】
すなわち、請求項１の考案は、底枠部、上枠部ならびに側枠部を有する枠体部と、被陳列物を保持する保持部と前記底枠部後部から前記枠体部内の斜め上方に突設されて前記保持部を所定高さに支持する支持部とを有する持上部材を含み、前記持上部材は、前記保持部に被陳列物が展示された際に、前記枠体部正面の前方上部側位置からの鑑賞者の視線によって前記持上部材の前記支持部の非視認状態が作出されるように構成されていて、それによって前記被陳列物の前記枠体部内における浮揚陳列状態が演出されるようにしたことを特徴とする陳列装置に係る。
【０００７】
請求項２の考案は、前記枠体部が立方体形状、直方体形状、多角柱形状、円柱形状、角錐台形状、円錐台形状のいずれかよりなる請求項１に記載の陳列装置に係る。
【０００８】
請求項３の考案は、前記枠体部の各面部が開放部として構成されている請求項１又は２に記載の陳列装置に係る。
【０００９】
請求項４の考案は、前記枠体部の高さに対して前記持上部材の前記保持部の高さが０．１〜０．５倍である請求項１ないし３のいずれか１項に記載の陳列装置に係る。
【００１０】
請求項５の考案は、前記枠体部の奥行に対して前記持上部材の前記保持部の奥行が０．４〜０．５倍である請求項１ないし４のいずれか１項に記載の陳列装置に係る。
【００１１】
請求項６の考案は、前記持上部材の前記保持部が台座部である請求項１ないし５のいずれか１項に記載の陳列装置に係る。
【考案の効果】
【００１２】
請求項１の考案に係る陳列装置によると、底枠部、上枠部ならびに側枠部を有する枠体部と、被陳列物を保持する保持部と前記底枠部後部から前記枠体部内の斜め上方に突設されて前記保持部を所定高さに支持する支持部とを有する持上部材を含み、前記持上部材は、前記保持部に被陳列物が展示された際に、前記枠体部正面の前方上部側位置からの鑑賞者の視線によって前記持上部材の前記支持部の非視認状態が作出されるように構成されていて、それによって前記被陳列物の前記枠体部内における浮揚陳列状態が演出されるようにしたため、簡素な構造でありながら従来にない極めて斬新な形態で被陳列物を陳列することができる。
【００１３】
請求項２の考案に係る陳列装置によると、請求項１において、前記枠体部が立方体形状、直方体形状、多角柱形状、円柱形状、角錐台形状、円錐台形状のいずれかよりなるため、収容する被陳列物の種類等に適した立体形状の陳列装置を提供することができる。
【００１４】
請求項３の考案に係る陳列装置によると、請求項１又は２において、前記枠体部の各面部が開放部として構成されているため、構造の簡素化及び製造コストの低減を図ることができ、鑑賞者が内部を視認しやすくなり、被陳列物の一部を枠体部から突出させて展示するような斬新な演出も可能となる。
【００１５】
請求項４の考案に係る陳列装置によると、請求項１ないし３において、前記枠体部の高さに対して前記持上部材の前記保持部の高さが０．１〜０．５倍であるため、被陳列物の浮揚陳列状態をより適切に演出することができる。
【００１６】
請求項５の考案に係る陳列装置によると、請求項１ないし４において、前記枠体部の奥行に対して前記持上部材の前記保持部の奥行が０．４〜０．５倍であるため、被陳列物の陳列時の外観上のバランスを確保しながら支持部の非視認状態を適切に作出することができる。
【００１７】
請求項６の考案に係る陳列装置によると、請求項１ないし５において、前記持上部材の前記保持部が台座部であるため、支持部の非視認状態を作出しやすくなり、単独で支持部２５の非視認状態を作出することも可能となる。
【図面の簡単な説明】
【００１８】
【図１】本考案の一実施形態に係る陳列装置の斜視図である。
【図２】図１の陳列装置の概略縦断面図である。
【図３】図１の陳列装置の概略横断面図である。
【図４】枠体部のバリエーションを表す第１の概略斜視図である。
【図５】枠体部のバリエーションを表す第２の概略斜視図である。
【図６】枠体部のバリエーションを表す第３の概略斜視図である。
【図７】枠体部のバリエーションを表す第４の概略斜視図である。
【図８】持上部材のバリエーションを表す概略平面図である。
【図９】他の実施形態に係る陳列装置の概略平面図である。
【考案を実施するための形態】
【００１９】
図１〜図３に示す本考案の一実施形態に係る陳列装置１０は、被陳列物Ｇを鑑賞者から視認可能に収容して陳列するためのものであって、枠体部１１と、持上部材２０とを含む。陳列装置１０を構成する材料は、鉄、アルミニウム、ステンレス等の金属材料、硬質の合成樹脂材料、木材等、適宜の硬質材料が好適に用いられる。
【００２０】
被陳列物Ｇは、主に建築物の室内、廊下、玄関先等に陳列されて彩りある空間を演出する鑑賞用の装飾物であり、例えば、生花、観葉植物、盆栽、造花等の園芸品、陶磁器、人形や銅像等の立体像、置時計や模型等の雑貨、フラワーインテリアやアクアリウム等の鑑賞物、小物類等が挙げられる。
【００２１】
枠体部１１は、被陳列物Ｇを収容するとともに陳列装置１０の全体形状の骨組みを構成する部位であって、底枠部１２、上枠部１３ならびに側枠部１４を有する。この枠体部１１は、各部１２，１３，１４が棒状部材からなり、所定の立体形状を創出するように構成されて、収容された被陳列物Ｇの意匠性を強調する。
【００２２】
枠体部１１の立体形状は、被陳列物Ｇが収容可能な形状であれば、特に限定されない。例えば、図４（ａ）に示す四角柱形状の枠体部１１ａ、図４（ｂ）に示す立方体形状の枠体部１１ｂ、図５（ａ）に示す直方体形状の枠体部１１ｃ、図５（ｂ）に示す底枠部が台形の四角柱形状の枠体部１１ｄ、図６（ａ）に示す五角柱の枠体部１１ｅ、図６（ｂ）に示す円柱形状の枠体部１１ｆ、図７（ａ）に示す角錐台形状の枠体部１１ｇ、図７（ｂ）に示す円錐台形状の枠体部１１ｈ等が挙げられる。上記列挙した立方体形状（１１ｂ）、直方体形状（１１ｃ）、多角柱形状（１１ａ，１１ｄ，１１ｅ）、円柱形状（１１ｆ）、角錐台形状（１１ｇ）、円錐台形状（１１ｈ）等、枠体部が多様な立体形状に構成可能であることにより、収容する被陳列物Ｇの種類等に適した立体形状の陳列装置を提供することができる。なお、図４〜図７では枠体部のみを図示し、持上部材や被陳列物等は図示を省略している。
【００２３】
枠体部１１では、立体形状の各面部に相当する部位が、ガラス板や透明樹脂板等の透明板部材を設けずに開放部として構成される。このように、透明板部材を有していないことにより、陳列装置１０の構造の簡素化及び製造コストの低減を図ることができることに加え、陳列時に透明板部材での反射が発生しないため、鑑賞者が内部を視認しやすくなる。また、枠体部１１の各面部が開放されているため、被陳列物Ｇの一部を枠体部１１から突出させて展示するような斬新な演出も可能となる。
【００２４】
持上部材２０は、被陳列物Ｇを持ち上げ保持する部材であり、被陳列物Ｇを保持する保持部２１と、保持部２１を所定高さに支持する支持部２５とを有する。保持部２１は、被陳列物Ｇが載置又は固定可能な適宜の形状に構成される。例えば、図８（ａ）に示す略Ｕ字形状の保持部２１ａ、図８（ｂ）に示すリング形状の保持部２１ｂ、図８（ｃ）に示す四角形等の多角形の環状の保持部２１ｃ、図８（ｄ）に示す所定間隔で配置された２本の平行棒形状の保持部２１ｄ、図８（ｅ）に示す平板状の保持部２１ｅ等の形状が挙げられる。保持部２１ａ〜２１ｄは、空間部分に被陳列物の底部がはまって保持されるため、安定性に優れる。また、平板状の保持部２１ｅは、被陳列物の載置可能な範囲を広く確保することができるため、多種多様な形状の被陳列物が載置可能であり、汎用性に優れる。この平板状の保持部２１ｅは、後述の台座部２２に相当する。なお、保持部２１は、上記列挙の形状に限定されるものではなく、同様の機能を有する適宜の形状とすることができる。
【００２５】
支持部２５は、枠体部１１の底枠部後部１２ａから枠体部１１内の斜め上方に突設されて保持部２１を支持する部位である。この支持部２５は、被陳列物Ｇを保持した保持部２１を支持可能な適宜の構成からなる。例えば、図８（ａ）（ｂ）に示す１本の棒状の支持部２５ａ、図８（ｃ）に示す幅広の板状の支持部２５ｂ、図８（ｄ）（ｅ）に示す複数本（図の例では２本）の棒状の支持部２５ｃ等が挙げられる。複数本の棒状の支持部２５ｃでは、必要に応じて各棒状の支持部２５ｃ間に補強部２６を架設してもよい。補強部２６を架設することにより、支持部２５ｃを補強することができるとともに、斜め階段を模した部位として意匠性を創出することができる。また支持部２５は、図２に示すように斜め上方へ直線的に突設させるだけでなく、斜め上方に湾曲、屈曲、蛇行等の適宜の形状で突設させてもよい。なお、支持部２５が上記列挙の構成に限定されないのはいうまでもない。
【００２６】
本考案の陳列装置１０では、鑑賞者の鑑賞位置Ｐが、枠体部１１の正面側、特に正面の前方上部側位置から被陳列物Ｇを若干見下ろして鑑賞するような位置となることを想定している。そこで、図２，３に示すように、上記持上部材２０は、保持部２１に被陳列物Ｇが展示された際に、想定している鑑賞位置Ｐからの鑑賞者の視線Ｅによって持上部材２０の支持部２５の非視認状態が作出されるように構成されていて、それによって被陳列物Ｇの枠体部１１内における浮揚陳列状態が演出される。
【００２７】
持上部材２０の支持部２５の非視認状態とは、鑑賞位置Ｐから被陳列物Ｇを鑑賞する場合に、支持部２５の位置が被陳列物Ｇや持上部材２０の保持部２１によって鑑賞者（鑑賞位置Ｐ）の死角となることを意味する。すなわち、鑑賞者の視線Ｅに対して支持部２５が被陳列物Ｇや持上部材２０の保持部２１の陰に入る位置関係となった状態である。
【００２８】
また、浮揚陳列状態とは、鑑賞者が鑑賞位置Ｐから被陳列物Ｇを鑑賞した場合に、枠体部１１内において被陳列物Ｇが床面から所定高さで浮揚しているように見える状態を意味する。これは、実際には被陳列物Ｇが底枠部１２から突設された支持部２５に支持された保持部２１によって枠体部１１内の所定高さ位置に保持されているが、鑑賞位置Ｐから被陳列物Ｇを見ると、保持部２１を支持する支持部２５が鑑賞者（鑑賞位置Ｐ）の死角に入ることから、被陳列物Ｇが単体で又は保持部２１とともに枠体部１１内の所定高さ位置に何の支持もなしに配置されているように見えるものである。つまり、鑑賞時に支持部２５が鑑賞者（鑑賞位置Ｐ）の死角に入ることによって、被陳列物Ｇが浮揚しているように鑑賞者に錯覚させた状態である。
【００２９】
上記被陳列物Ｇの浮揚陳列状態を適切に演出するための被陳列物Ｇの高さ位置は、枠体部１１の形状等に応じて適宜設定されるが、図２に示すように、枠体部１１の高さＨ１に対して持上部材２０の保持部２１の高さＨ２が０．１〜０．５倍であることが好ましい。保持部２１の高さＨ２が枠体部１１の高さＨ１の０．１倍より低い場合、被陳列物Ｇが床面に近すぎて鑑賞者（鑑賞位置Ｐ）から浮揚しているように見えにくくなるおそれがある。保持部２１の高さＨ２が枠体部１１の高さＨ１の０．５倍より高い場合、保持部２１の下部側から支持部２５が見えやすくなって支持部２５の非視認状態を作出することができないおそれがある。
【００３０】
また、陳列装置１０では、被陳列物Ｇの陳列時の外観上のバランスを確保しつつ、支持部２５の非視認状態を適切に作出する位置に持上部材２０の保持部２１が配置される。持上部材２０の保持部２１の位置は、枠体部１１の形状等に応じて適宜であるが、例えば枠体部１１の平面視略中央位置から後方寄りの位置、特に図３に示すように、枠体部１１の奥行Ｄ１に対して保持部２１の奥行Ｄ２が０．４〜０．５倍であることが好ましい。保持部２１の奥行Ｄ２が枠体部１１の奥行Ｄ１の０．４倍より短い場合、被陳列物Ｇの陳列時の外観上のバランスを損なうおそれがある。保持部２１の奥行Ｄ２が枠体部１１の奥行Ｄ１の０．５倍より長い場合、保持部２１の後方側と枠体部１１の底枠部後部１２ａとの間隔が広くなって支持部２５の非視認状態が作出しにくくなるおそれがある。
【００３１】
上記陳列装置１０では、枠体部１１の形状等に応じて適宜設定されるものであるが、支持部２５が底枠部後部１２ａから３５°〜５５°程度の傾斜角度で突設されることが好ましい。この支持部２５の傾斜角度により、保持部２１を適正な位置で支持しやすくなる。
【００３２】
さらに、陳列装置１０では、図２，３に示すように、持上部材２０の保持部２１が台座部２２であることが好ましい。この台座部２２は、四角形や六角形等の平面視多角形状、真円や楕円等の平面視円形状等の適宜の形状の板状部材からなる。そのため、図２示すように、鑑賞者の視線Ｅ１から所定範囲の死角を形成することができる。したがって、支持部２５の非視認状態を作出しやすくなり、特に保持部２１単独で支持部２５の非視認状態を作出することも可能となる。
【００３３】
以上図示し説明したように、本考案の陳列装置は、枠体部と、枠体部の底枠部後部から突設された持上部材によって形成されるため、煩雑な構成が不要で簡素な構造とすることができる。また特に、持上部材が保持部に被陳列物を展示した際に、枠体部正面の前方上部側位置からの鑑賞者の視線によって持上部材の支持部の非視認状態が作出されるように構成されていて、それによって被陳列物の枠体部内における浮揚陳列状態が演出されるようにしたため、鑑賞者に被陳列物が浮揚しているように錯覚させる極めて斬新な形態の陳列が可能である。
【００３４】
なお、本考案の陳列装置は、前述の実施形態のみに限定されるものではなく、考案の趣旨を逸脱しない範囲において構成の一部を適宜に変更して実施することができる。例えば、枠体部に形成する持上部材は単体に限定されるものではなく、複数の持上部材を設けてもよい。
【００３５】
図９（ａ）に示す陳列装置１０Ａは、複数（図示の例では２つ）の持上部材２０，２０を各個に設けた例である。この陳列装置１０Ａでは、一の枠体部内で複数の被陳列物を個別に展示することができる。また、図９（ｂ）に示す陳列装置１０Ｂは、複数の持上部材を設けた場合の変形例であって、複数の持上部材２０，２０が保持部２１ｆ（台座部２２）を共有するように構成されている。複数の持上部材２０，２０で共有される保持部２１ｆは、図示のように、複数の支持部２５，２５に支持されるため、より広範囲に安定して保持部２１ｆを形成することができる。なお、図示しないが、３つ以上の持上部材を設けた場合に、保持部を共有した持上部材と共有していない持上部材とを混在させる等も可能である。
【産業上の利用可能性】
【００３６】
以上の通り、本考案の陳列装置は、極めて簡素な構成で従来にない斬新な形態で被陳列物を展示することができる。そのため、従来の陳列装置の代替品として有望である。
【符号の説明】
【００３７】
１０，１０Ａ，１０Ｂ  陳列装置
１１，１１ａ〜１１ｈ  枠体部
１２    底枠部
１２ａ  底枠部後部
１３    上枠部
１４    側枠部
２０，２０ａ〜２０ｅ  持上部材
２１，２１ａ〜２１ｆ  保持部
２２    台座部
２５，２５ａ〜２５ｃ  支持部
２６    補強部
Ｄ１    枠体部の奥行
Ｄ２    持上部材の保持部の奥行
Ｇ      被陳列物
Ｅ，Ｅ１    鑑賞位置からの鑑賞者の視線
Ｈ１    枠体部の高さ
Ｈ２    持上部材の保持部の高さ
Ｐ      鑑賞位置
【図１】
0003230779.tif 000003
【図２】
0003230779.tif 000004
【図３】
0003230779.tif 000005
【図４】
0003230779.tif 000006
【図５】
0003230779.tif 000007
【図６】
0003230779.tif 000008
【図７】
0003230779.tif 000009
【図８】
0003230779.tif 000010
【図９】
0003230779.tif 000011